(57)【要約】      （修正有）【課題】ファンモータの異常を早期に発見してファンモータを停止し、ファンモータの異常な温度上昇を防止でき、温度上昇による不具合を防ぐことができる手乾燥装置を提供する。【解決手段】使用者の手に空気を吹き付けて乾燥させる手乾燥装置であって、使用者の手が挿入される手挿入室３と、手挿入室３に空気を吹き出すための空気吹出口７と、空気吹出口７から空気を吹き出すためのファンモータ４と、ファンモータ４の動作を制御する制御部１０と、煙を検知する煙検知手段２４と、を備え、煙検知手段２４が煙を検知すると、制御部１０はファンモータ４を停止させる。【選択図】図２
2015084958.tif 000002
【特許請求の範囲】
【請求項１】
使用者の手に空気を吹き付けて乾燥させる手乾燥装置であって、
使用者の手が挿入される手挿入室と、
前記手挿入室に空気を吹き出すための空気吹出口と、
前記空気吹出口から空気を吹き出すためのファンモータと、
前記ファンモータの動作を制御する制御部と、
煙を検知する煙検知手段と、を備え、
前記煙検知手段が煙を検知すると、前記制御部は前記ファンモータを停止させることを特徴とする手乾燥装置。
【請求項２】
前記煙検知手段は、前記ファンモータに近接する位置に設置されることを特徴とする請求項１記載の手乾燥装置。
【請求項３】
前記煙検知手段は、前記ファンモータの下流側に設置されることを特徴とする請求項１又は請求項２に記載の手乾燥装置。
【請求項４】
前記煙検知手段が煙を検知すると、使用者に前記ファンモータの異常を報知する報知手段を設けることを特徴とする請求項１から請求項３の何れか１項に記載の手乾燥装置。
【発明の詳細な説明】
【技術分野】
【０００１】
本発明は、使用者の手に空気を吹き付けて乾燥させる手乾燥装置に関する。
【背景技術】
【０００２】
トイレ・洗面空間において手を洗浄した後に、ハンカチやタオル、ペーパーを使用することなく手を乾燥させることができる手乾燥装置が普及している。この手乾燥装置は、モータの軸にファンを取り付けたファンモータを内蔵しており、モータを駆動させることで空気流を発生させ、その空気流をヒータによって温め、使用者の手に風を吹き付けて手を乾燥させている。
【０００３】
しかしながら、何らかの原因（たとえば異物の吸い込み等）により、ファンの回転負荷が増大して過負荷となった場合あるいは完全にファンがロックされた場合、モータ巻線に過電流が流れ異常な発熱が生じる。このようにファンモータの異常により発生した熱は、吹出し風の異常温度上昇や、ファンモータ周辺の防振ゴム及び流路を形成する樹脂の変形などのさまざまな不具合を及ぼすという問題が生じていた。
【０００４】
このような問題を解決するために、特許文献１に開示があるように、温度ヒューズをファンモータ外郭ケースの外側表面に密着するように取り付け、ファンモータ外郭ケースの温度が高温になったとき電源の供給を遮断する手段がある。しかしながら、一般にファンモータでは、ファンモータ外郭ケース内部にあるモータ巻線が発熱源となるため、モータ巻線の発熱が伝達されてファンモータ外郭ケースの外側表面の温度が上昇するのにはある程度の時間がかかる。このため、モータ巻線で異常な発熱が生じてから、ファンモータ外郭ケースの外側表面に設置されている温度ヒューズが溶断されるまでにかなりの時間がかかる。また、温度ヒューズの溶断温度は、通常使用において温度ヒューズが溶断しないように、通常使用温度に対して大きなマージン（たとえば＋２０℃）を必要とするため、選定される溶断温度は常に高めになり、ファンモータの異常の発見が遅れるという問題もある。
【先行技術文献】
【特許文献】
【０００５】
【特許文献１】特開２０１３−８１６８１号公報
【発明の概要】
【発明が解決しようとする課題】
【０００６】
本発明は前記事情にて鑑みて為されたものであり、その目的は、ファンモータの異常を早期に発見してファンモータを停止することを可能とする手乾燥装置を提供することにある。
【課題を解決するための手段】
【０００７】
本発明の態様の１つは、使用者の手に空気を吹き付けて乾燥させる手乾燥装置であって、使用者の手が挿入される手挿入室と、前記手挿入室に空気を吹き出すための空気吹出口と、前記空気吹出口から空気を吹き出すためのファンモータと、前記ファンモータの動作を制御する制御部と、煙を検知する煙検知手段と、を備え、前記煙検知手段が煙を検知すると、前記制御部は前記ファンモータを停止させることを特徴とする手乾燥装置である。
【０００８】
このように構成された発明においては、ファンモータ回転時の回転負荷の増大やロック現象に伴って生じる巻線温度の上昇により発生した煙を検知することができ、手乾燥装置の異常を早期に発見し、ファンモータの駆動を停止することで、ファンモータの異常な温度上昇を防止でき、温度上昇による不具合を防ぐことができる。
【０００９】
本発明の選択的な態様においては、前記煙検知手段は、前記ファンモータに近接する位置に設置されることを特徴とする手乾燥装置である。
【００１０】
このように構成された発明においては、煙検知手段がファンモータに近接する位置に設置されることで、ファンモータから発生する煙をすぐに検知でき、手乾燥装置の異常を早期に発見し、ファンモータの駆動を停止することで、ファンモータの異常な温度上昇を防止でき、温度上昇による不具合を防ぐことができる。
【００１１】
本発明の選択的な態様においては、前記煙検知手段は、前記ファンモータの下流側に設置されることを特徴とする手乾燥装置である。
【００１２】
このように構成された発明においては、ファンの回転負荷が増大し、ファンモータから煙が発生した場合、煙が下流側に流れるので、下流に設置された煙検知手段によって、手乾燥装置の異常を早期に発見でき、ファンモータの駆動を停止することで、ファンモータの異常な温度上昇を防止でき、温度上昇による不具合を防ぐことができる。
【００１３】
本発明の選択的な態様においては、前記煙検知手段が煙を検知すると、使用者に前記ファンモータの異常を報知する報知手段を設けることを特徴とする手乾燥装置である。
【００１４】
このように構成された発明においては、煙検知手段が煙を検知すると、煙が発生していることを音や表示などにより報知し警告するため、使用者は、ファンモータに異常が発生していることに気づくことができる。
【発明の効果】
【００１５】
本発明の手乾燥装置によれば、ファンモータの異常を早期に発見し、ファンモータを停止し、ファンモータの異常な温度上昇を防止でき、温度上昇による不具合を防ぐことができる。
【図面の簡単な説明】
【００１６】
【図１】本発明の一実施形態に係る手乾燥装置の正面視概略一部断面図。
【図２】本発明の一実施形態に係る手乾燥装置の側面視概略断面図。
【図３】本発明の一実施形態に係る手乾燥装置の電気的構成を示すブロック図。
【図４】本発明の一実施形態に係る手乾燥装置の制御フロー図。
【発明を実施するための形態】
【００１７】
以下、本発明の実施の形態について図面を参照しつつ説明する。なお、各図面中、同様の構成要素には同一の符号を付して詳細な説明は適宜省略する。
【００１８】
図１及び図２に示す手乾燥装置１は、全体として直方体状である箱形の外郭ケース２を有する。外郭ケース２の下部には、乾燥させる対象となる濡れた手６が挿入される手挿入室３が設けられている。手挿入室３は、正面と両側面が開放された開口部として形成されている。したがって、手挿入室３は、上下両側と背面側（奥側）が覆われた空間を形成する。
【００１９】
手挿入室３の下面部には、濡れた手６からの水滴を受ける水受部１１が設けられ、水受部１１の周縁には周壁面１２及び背壁面１３が立設されている。水受部１１には水滴を下方へ落下させる排水口１４が形成されており、排水口１４の下方には、水受部１１に対し着脱自在に取り付けられ、排水口１４より落下した水滴を貯溜する水受トレイ１５が配設されている。水受部１１は、排水口１４に水が流れるように、排水口１４に向かって緩やかに下り傾斜している。
【００２０】
手挿入室３の上面部５で且つ外郭ケース２の正面側に、手挿入室３に向かって高速の空気を下方に吹き出す空気吹出口７が設けられている。また、手挿入室３の上面部５で且つ空気吹出口７よりも背面側には、人体検知手段である手検知センサ９が設けられている。手検知センサ９は、手挿入室３に挿入された手６を検知し、検知信号を出力する。
【００２１】
手挿入室３より上方の外郭ケース２の左右の両側面には外部の空気を吸い込むための吸気口（図示なし）が設けられている。
【００２２】
手挿入室３の上方に位置する外郭ケース２の内部には、手挿入室３へ高速の空気を供給するためのファンモータ４が取り付けられている。ファンモータ４は、複数の羽根を円形に並べたファン４ａと、このファン４ａを回転駆動させるモータとによって構成されており、吸気口から吸い込んだ空気を空気吹出口７から吹き出すためのものである。ファンモータ４は、ファン４ａを回転させ、空気を吸気側から吸い込み、ファン４ａの回転によって発生した高速の空気を排気側から排出する。
【００２３】
ファンモータ４の上流側に、外郭ケース２に設けられた吸気口とファンモータ４の吸気側とを連通する吸気風路２２が形成されている。吸気風路２２の途中には、ファンモータ４への塵埃等の侵入を防止する着脱可能なフィルタ２０が取り付けられている。
【００２４】
ファンモータ４の下流側に、ファンモータ４の排気側と空気吹出口７とを連通する排気風路８が形成されている。その排気風路８に、煙を検知する煙検知手段２４と、排気風路８を通過する高速の空気を温めるヒータ２１とが取り付けられている。つまり、煙検知手段２４と、ヒータ２１は、ファンモータ４の下流側に設置されている。ヒータ２１は、煙検知手段２４よりも下流側に位置し、且つ、空気吹出口７の略真上に位置する。また、煙検知手段２４は、例えばファンモータ４のモータを収納しているファンモータ外郭ケース２７内に設置することで、ファンモータ４のモータに近接する位置に設置することができる。
【００２５】
手乾燥装置１は、ファンモータ４の動作を制御する制御部１０を備える。制御部１０は、手検知センサ９の検知に基づきファンモータ４の動作を制御する。その制御部１０は、外郭ケース２内部の上方に設けられている。図３に示すように、制御部１０は、手検知センサ９、ファンモータ４、煙検知手段２４、手検知センサ９、後述する報知手段２６と電気的に接続される。
【００２６】
次に煙検知手段２４の作動原理の一例について説明する。煙検知手段２４の内部には、発光素子（例えば、発光ダイオード等）と受光素子（例えば、フォトダイオード等）とが設けられている。それらの設置場所は、通常時において、発光素子の光が受光素子に届かないような位置関係にある。煙が発生すると、煙が煙検知手段２４内部に入り、発光素子から発せられた光が煙の粒子によって乱反射し、受光素子に光が届く。煙検知手段２４は、煙の粒子によって乱反射した発光素子からの光を受光素子により検知することで、煙の有無を判断している。なお、煙検知手段２４の作動原理はこの例に限定されるものではなく、煙検知手段２４としては適宜周知の手法により煙を検知する構成のものが採用される。
【００２７】
次に手乾燥装置１を使用する際の動作について説明する。使用者が濡れた手６を手挿入室３内に手首付近まで入れると、手検知センサ９によって手６が検知され、制御部１０の制御によりファンモータ４が作動する。ファンモータ４が作動すると手乾燥装置１の外の空気が吸気口から吸い込まれる。吸気口から吸い込まれた空気は、吸気風路２２に設置されているフィルタ２０を通って、ファンモータ４に吸い込まれる。ファンモータ４は、吸気側から吸い込んだ空気を高圧の空気に変換してファンモータ４の排気側から排出し、排出された高圧の空気は排気風路８を通り空気吹出口７から手挿入室３に向かって下方に吹き出される。空気吹出口７から吹き出された高圧の空気は、手挿入室３に挿入されている濡れた手６に当たり、手６に付着した水分を手６の表面から吹き飛ばして手６を乾燥させることができる。さらに、手挿入室３に対して手６を挿抜させることによって、手全体に付着していた水滴が排除され、手６は乾燥される。なお、ヒータ２１を通電させれば、排気風路８を通る高圧の空気が加熱されるため、空気吹出口７からは温風が吹き出され冬場などにおいて使用感を良くすることができる。手６が乾燥した後、手挿入室３から手６を抜き出すと手６が抜かれたことを手検知センサ９が検知し、制御部１０がファンモータ４を停止させる。手６から吹き飛ばされた水滴は、傾斜構造の水受部１１において排水口１４に向かって流下し、排水口１４から水受トレイ１５に収容される。水受トレイ１５に溜まった水は、水受部１１から水受トレイ１５を引き抜き、排水できる。
【００２８】
次に手乾燥装置１から煙が発生する原因について説明する。ファンモータ４は、何らかの原因（たとえば異物の吸い込み等）により、ファンモータ４の回転負荷が増大して過負荷となった場合あるいは完全にファンモータ４がロックされた場合、モータ巻線に過電流が流れ異常な発熱を生じる。そのためモータ巻線自身の温度が異常に高くなり、モータ巻線を絶縁するための絶縁被覆樹脂（エナメルなど）が熱分解することによって煙が発生する。
【００２９】
モータ巻線の絶縁被覆樹脂が熱分解することによって煙が発生するので、煙の発生源であるモータに近接する位置に、煙検知手段２４を設置することで、煙の発生とほぼ同時に、しかも確実に煙を検知することができ、制御部１０によってファンモータ４を停止できる。煙検知手段２４の設置位置としての、ファンモータ４に近接する位置としては、例えば、ファンモータ４の外郭を構成しているファンモータ外郭ケース２７の外側に付設される位置や、このファンモータ外郭ケース２７の内部における所定の位置等が挙げられる。
【００３０】
また、ファンモータ４の回転負荷が大きい状態で、ファンモータ４が回転している場合に発生した煙は、ファンモータ４の回転によって空気吹出口７に向かって下流に押し出される。このような場合においては、煙検知手段２４をファンモータ４の下流に設置することで、煙が煙検知手段２４に向かって流れてくるので、煙を早期かつ確実に検知することができ、制御部１０によってファンモータ４を停止できる。本実施形態では、煙検知手段２４は、ファンモータ４の下流側となる排気風路８に設けられている。
【００３１】
図４を用いて、手乾燥装置１の制御フローについて説明する。手乾燥装置１が起動すると、制御部１０は、煙検知手段２４の内部に設置された受光素子が受光する受光量が、所定量以上かどうかを判断する（Ｓ１）。受光量が所定量未満であれば、制御部１０はＳ１を繰り返し実行する。受光量が所定量以上であれば、制御部１０は、ファンモータ４のモータを停止させる（Ｓ３）。以上のように、制御部１０が制御フローを実行することで、煙検知手段２４が煙を検知すると、ファンモータ４は停止する。制御部１０はファンモータ４への電流の供給を止めることで、ファンモータ４の駆動を停止させている。
【００３２】
更に、煙検知手段２４が煙を検知すると使用者にファンモータ４の異常を報知する報知手段２６（図１参照）を外郭ケース２に設けてもよい。制御部１０は、煙検知手段２４の検知結果に基づき、報知手段２６によって異常を報知するか否かを制御する。制御部１０は、例えば、煙検知手段２４によって、煙が検知された場合、報知手段２６である発光ダイオードの点灯によって使用者に異常を知らせる。一方、煙が検知されない場合、発光ダイオードの消灯によって正常であることを知らせる。なお、報知手段２６は、光に代えてあるいは光に加えて音を用いてファンモータ４の異常を報知するものでもよい。報知手段２６を設けることで、使用者が手乾燥装置１のファンモータ４の異常を認識できる。
【００３３】
以上のように、本実施形態に係る手乾燥装置１によれば、ファンモータ４の異常を早期に発見してファンモータ４を停止し、ファンモータ４の異常な温度上昇を防止でき、温度上昇による不具合を防ぐことができる。
【００３４】
以上本発明の実施形態を詳述したがこれはあくまで一例示であり、本発明はその趣旨を逸脱しない範囲において種々変更を加えた形態で構成可能である。
【符号の説明】
【００３５】
１    手乾燥装置
２    外郭ケース
３    手挿入室
４    ファンモータ
４ａ  ファン
５    上面部
６    手
７    空気吹出口
８    排気風路
９    手検知センサ
１０  制御部
１１  水受部
１２  周壁面
１３  背壁面
１４  排水口
１５  水受トレイ
２０  フィルタ
２１  ヒータ
２２  吸気風路
２４  煙検知手段
２６  報知手段
２７  ファンモータ外郭ケース
【図３】
2015084958.tif 000003
【図４】
2015084958.tif 000004
【図１】
2015084958.tif 000005
【図２】
2015084958.tif 000006